【手続補正書】
【提出日】平成30年11月16日(2018.11.16)
【手続補正１】
【補正対象書類名】特許請求の範囲
【補正対象項目名】全文
【補正方法】変更
【補正の内容】
【特許請求の範囲】
【請求項１】
シートを積載するためのシート積載部と、
前記シート積載部に搬送されてきたシートをそのシート搬送方向と直交する方向に前記シート積載部から上方に突出した整合部で押圧し所定の整合位置に整合する整合処理を行う一対の整合部材と、
前記整合部材を前記整合位置と前記整合位置とは異なる前記シート積載部に前記シートを受け入れる受け入れ位置との間で移動する移動手段と、
前記整合位置と前記受け入れ位置との間に設定された検出位置において、前記シート積載部の前記シートの位置を検出する検出手段と、
前記検出手段の検出値が、前記シートが前記整合位置にある時に対応する基準値の所定範囲から外れている場合、前記整合処理を行うために前記移動手段を制御する制御手段と、
前記整合処理後、前記検出値が前記基準値の所定範囲内にある場合、前記検出値を前記基準値に設定する設定手段と、を備えたシート整合装置。
【請求項２】
前記制御部は、前記検出手段の検出強度を調整する強度調整手段と、
前記シート積載部に積載されるシートの枚数を数えるカウンターと、をさらに備え、
前記カウンターで数えたシートの枚数に応じて、前記強度調整手段が前記検出手段の検出強度を調整することを特徴とする請求項１に記載のシート整合装置。
【請求項３】
前記検出手段は前記一対の整合部材の少なくとも一方に備えられ、前記整合部材に付随して移動することを特徴とする請求項１または請求項２に記載のシート整合装置。
【請求項４】
前記検出手段は静電容量センサであり、前記静電容量センサの少なくとも電極部材が前記一対の整合部材の少なくとも一方に配されたことを特徴とする請求項３に記載のシート整合装置。
【請求項５】
前記制御部は、
前記整合部材を前記整合位置に移動させて前記シート積載部に搬送されてきたシートを整合させ、次いで前記整合部材を前記整合位置から前記検出位置に移動させるように前記移動手段を制御し、
前記検出手段が検出した検出値が前記基準値の所定範囲から外れている場合、前記整合部材を前記検出位置から前記整合位置に移動させて前記シートを再整合させ、次いで前記整合部材を前記整合位置から前記検出位置に移動させるように前記移動手段を制御し、前記検出手段による検出を繰り返す、
ことを特徴とする請求項４に記載のシート整合装置。
【請求項６】
シートに画像を形成する画像形成部と、
前記画像形成部で画像が形成されたシートを積載するためのシート積載部と、
前記シート積載部に搬送されてきたシートをそのシート搬送方向と直交する方向に押圧し所定の整合位置で整合させる整合部材と、
前記整合部材を前記整合位置と非整合位置との間で移動させる移動手段と、
前記整合位置で整合されたシート束からのシートの飛び出しを整合ズレとして検出する検出手段と、
前記検出手段が前記整合ズレを検出したときに、前記整合部材が前記整合位置へと位置付けられるように前記移動手段を制御する制御部と、を備え、
前記制御部は、前記検出手段が前記整合ズレを検出したか否かを判断し、
前記制御部が、前記整合ズレと判断しないときの前記検出手段が検出した検出値を、次シートの前記整合ズレを検出する初期値とする画像形成システム。
【請求項７】
前記制御部は、前記検出手段の検出強度を調整する強度調整手段と、
前記シート積載部に積載されるシートの枚数を数えるカウンターと、をさらに備え、
前記カウンターで数えたシートの枚数に応じて、前記強度調整手段が前記検出手段の検出強度を調整することを特徴とする請求項６に記載の画像形成システム。
【請求項８】
シートを積載するためのシート積載部と、
前記シート積載部に搬送されてきたシートをそのシート搬送方向と直交する方向に押圧し所定の整合位置で整合させる整合部材と、
前記整合部材を前記整合位置と非整合位置との間で移動させる移動手段と、
前記整合位置で整合されたシート束からのシートの飛び出しを整合ズレとして検出する検出手段と、
前記検出手段が前記整合ズレを検出したときに、前記整合部材が前記整合位置へと位置付けられるように前記移動手段を制御する制御部と、を備え、
前記制御部は、前記検出手段が前記整合ズレを検出したか否かを判断し、
前記制御部が、前記整合ズレと判断しないときの前記検出手段が検出した検出値を、次シートの前記整合ズレを検出する初期値とするシート後処理装置。
【請求項９】
前記制御部は、前記検出手段の検出強度を調整する強度調整手段と、
前記シート積載部に積載されるシートの枚数を数えるカウンターと、をさらに備え、
前記カウンターで数えたシートの枚数に応じて、前記強度調整手段が前記検出手段の検出強度を調整することを特徴とする請求項８に記載のシート後処理装置。
【手続補正２】
【補正対象書類名】明細書
【補正対象項目名】０００９
【補正方法】変更
【補正の内容】
【０００９】
上記の課題を解決するために、本発明の第１の態様は、シート整合装置であって、シートを積載するためのシート積載部と、前記シート積載部に搬送されてきたシートをそのシート搬送方向と直交する方向に前記シート積載部から上方に突出した整合部で押圧し所定の整合位置に整合する整合処理を行う一対の整合部材と、前記整合部材を前記整合位置と前記整合位置とは異なる前記シート積載部に前記シートを受け入れる受け入れ位置との間で移動させる移動手段と、前記整合位置と前記受け入れ位置との間に設定された検出位置において、前記シート積載部の前記シートの位置を検出する検出手段と、前記検出手段の検出値が、前記シートが前記整合位置にある時に対応する基準値の所定範囲から外れている場合、前記整合処理を行うために前記移動手段を制御する制御手段と、前記整合処理後、前記検出値が前記基準値の所定範囲内にある場合、前記検出値を前記基準値に設定する設定手段とを備える。
【手続補正３】
【補正対象書類名】明細書
【補正対象項目名】００１１
【補正方法】削除
【補正の内容】
【手続補正４】
【補正対象書類名】明細書
【補正対象項目名】００１２
【補正方法】変更
【補正の内容】
【００１２】
また、整合部材はシート搬送方向と直交する方向であって搬送されてきたシートを挟む両側に配設された一対の部材で構成されており、検出手段は一対の整合部材の少なくとも一方に配されていてもよい。このとき、検出手段は静電容量センサであり、静電容量センサの少なくとも電極部材が一対の整合部材の少なくとも一方に配されていてもよい。
【手続補正５】
【補正対象書類名】明細書
【補正対象項目名】００１３
【補正方法】変更
【補正の内容】
【００１３】
さらに、制御部は、整合部材を整合位置に移動させてシート積載部に搬送されてきたシートを整合させ、次いで整合部材を整合位置から検出位置に移動させるように移動手段を制御し、検出手段が検出した検出値が基準値の所定範囲から外れている場合、整合部材を検出位置から整合位置に移動させてシートを再整合させ、次いで整合部材を整合位置から検出位置に移動させるように移動手段を制御し、検出手段による検出を繰り返すようにしてもよい。
【手続補正６】
【補正対象書類名】明細書
【補正対象項目名】００１４
【補正方法】変更
【補正の内容】
【００１４】
また、上記の課題を解決するために、本発明の第２の態様は、画像形成システムであって、シートに画像を形成する画像形成部と、第１の態様のシート整合装置とを備えている。さらに、本発明の第３の態様は、第１の態様のシート整合装置を備えたシート後処理装置である。上記を解決するために、第３の態様において、検出手段が検出した検出値が基準値の所定範囲から外れている場合、整合部材が整合位置へと位置付けられるように移動手段を制御する制御部と、シートないしシート束に後処理を施す後処理部とをさらに備えるようにしてもよい。